(57)【要約】      （修正有）【課題】ネジ部とその下方に設けた係合部（嵌合部）と、さらに下方に設けたフランジがある口元の容器に使用するキャップにおいて、バージン性を担保できる機構があって、使用時にキャップが瞬時に開閉可能であり、密閉性も高く、かつ、ひとつの金型で成形が可能で一体でできた口栓を得る。【解決手段】口栓本体２とキャップ３とで構成される口栓において、口栓本体は、口部を閉鎖する口栓天板２１と、口栓天板周縁から上下に伸びた筒状側壁２２とからなり、口栓天板は容器口部に挿嵌する口栓インナーリング２３と引き裂き可能な閉鎖板２４とからなり、筒状側壁は容器ネジ部と螺嵌する内ネジ部２２１と切断可能なブリッジを介して係合部にロックするロックリング５とからなり、キャップ３はキャップ天板３１とキャップインナーリング３２とからなり、口栓本体とキャップとがヒンジ４を介して一体としたことを特徴とする口栓。【選択図】図２
2016008072.tif 000002
【特許請求の範囲】
【請求項１】
容器口部を覆う口栓本体と、口栓本体先端に挿嵌し密閉可能なキャップとで構成される口栓において、
口栓本体は、容器口部先端に当接して口部を閉鎖する口栓天板と、口栓天板周縁から上下に伸び、口部外周全体を覆う筒状側壁とからなり
口栓天板は、容器口部先端内側に挿嵌する口栓インナーリングと、引き裂き可能な閉鎖板とからなり、
筒状側壁は、容器ネジ部と螺嵌する内ネジ部と、切断可能なブリッジを介してネジ部下方に設けられ係合部にロックするロックリングとからなり、
キャップはキャップ天板と、口栓本体側壁先端に挿嵌するキャップインナーリングとからなり、
口栓本体とキャップとがヒンジを介して一体としたことを特徴とする口栓。
【請求項２】
口栓天板の引き裂き可能な閉鎖板にプルリングが設けられていることを特徴とする前記請求項１に記載の口栓。
【請求項３】
容器口部のフランジに凹部を設け、凹部に係合する嵌合突起をロックリング下端に設けたことを特徴とする前記請求項１または２に記載の口栓。
【請求項４】
内ネジ部断面が鼻型形状とすることを特徴とする前記請求項３に記載の口栓。
【発明の詳細な説明】
【技術分野】
【０００１】
本発明は、ヒンジキャップを有する口栓に関する。
さらにくわしくは、主に、水、お茶、コーラ、ジュースなどの液体を入れる容器の口栓で、バージン性が確保できると共に、一度開封した後、ヒンジキャップで開閉が容易なヒンジキャップを有する口栓に関する。
【背景技術】
【０００２】
ヒンジキャップを有する口栓は、口栓本体からキャップを取り外すことなく開口でき、内容物を排出できるので、キャップを置き忘れたり、汚したりしにくい、片手で使用できるなどの点から、近年、採用する容器が多い。
また、内容物に対する異物混入などの犯罪に対して、キャップ開封に対するバージン性を担保する仕組みを取り入れる必要もある。
しかしながら、ポリエチレンテレフタレート製の延伸ブロー成形用の規格ＰＣＯ１８１０のように、ネジ部とその下方に設けた係合部（嵌合部）と、さらに下方にフランジがある口元の容器に対しては、単にロックリングを有するネジ式の口栓が用いられるのみであった。
例えば、特許文献１では、
容器口頸部に螺合する螺子が形成されたスカート壁の下端に破断可能に一体に連結されているタンパーエビデントバンドを有する合成樹脂製キャップにおいて、タンパーエビデントバンド壁の下部内周面にヒンジ連結されたボトル顎部と上下方向に係合する環状フランジを有し、該環状フランジ内周面にボトルの顎部下方に形成した係合突起と回転方向に係合する係合片を突出形成したことを特徴とするタンパーエビデント特性を有する合成樹脂製キャップを提案している。
このようなロックリングを有するネジ式の口栓は、バージン性の確認が出来るものの、開口するのに、両手で開ける必要があり、また、キャップが容器から離れてしまうので、落下して汚したり、見失ってしまうなどの問題があった。
【０００３】
逆に、打栓式の口元に対しては、例えば特許文献２では、
キャップ本体の口壁に形成された無端状の裂溝を引き裂いて注出口を開口する注出キャップにおいて、前記無端状の裂溝で囲われる形状と相似形で、且つ該裂溝の底部外側縁で囲われる面積より僅かに大きい面積を有するガスバリヤ性フイルムを、前記口壁の内面に前記無端状の裂溝と同心状に付着してなり、該ガスバリヤ性フイルムは前記裂溝の底部外側縁より外側に細幅の裂溝外側付着域を有することを特徴とする注出キャップを提案している。
無端状の裂溝を引き裂いて注出口を開口することで、バージン性を得る方法であり、実施例でその開口部をヒンジキャップで覆うことを提案している。
しかしながら、キャップと容器本体は異質の材質を用いる場合がほとんどなので、容器を廃棄する時にキャップを外す必要があるが、外しにくい問題があった。
【０００４】
このような問題に対し、特許文献３では、
上部構造と下部構造が嵌合機構で一体化できるように構成される合成樹脂製キャップであって、下部構造は壜口側壁部に設けられたネジ部と突状リング部に密着させ、上部構造は壜口天部に装着されて気密を保持するためのフィン、開封後の注ぎ口、開封のための切断溝とプルリングを備えた中間部と、該中間部と嵌合できる蓋部を有していることを特徴とする樹脂キャップと壜口の組み合わせ構造を提案している。
このキャップは上下２つの部品から構成されるキャップなので、２つの部品成形と共に組立ても必要になり、非常に高価になる問題がある。しかも、上下の嵌合を外すことで、キ
ャップを破壊しないで開封が可能であり、バージン性に関しても完全ではないという問題があった。
【先行技術文献】
【特許文献】
【０００５】
【特許文献１】登録実用新案第２５７４６９９号公報
【特許文献２】特許第３３６７５７３号公報
【特許文献３】特許第３２０５４５９号公報
【発明の概要】
【発明が解決しようとする課題】
【０００６】
そこで、ネジ部とその下方に設けた係合部（嵌合部）と、さらに下方に設けたフランジがある口元の容器に使用するキャップにおいて、バージン性を担保できる機構があって、使用時にキャップが瞬時に開閉可能であり、密閉性も高く、かつ、ひとつの金型で成形が可能で一体でできた口栓を得る事が本発明の課題である。
【課題を解決するための手段】
【０００７】
本発明の請求項１に係る口栓は、容器口部を覆う口栓本体と、口栓本体先端に挿嵌し密閉可能なキャップとで構成される口栓において、
口栓本体は、容器口部先端に当接して口部を閉鎖する口栓天板と、口栓天板周縁から上下に伸び、口部外周全体を覆う筒状側壁とからなり
口栓天板は、容器口部先端内側に挿嵌する口栓インナーリングと、引き裂き可能な閉鎖板とからなり、
筒状側壁は、容器ネジ部と螺嵌する内ネジ部と、切断可能なブリッジを介してネジ部下方に設けられ係合部にロックするロックリングとからなり、
キャップはキャップ天板と、口栓本体側壁先端に挿嵌するキャップインナーリングとからなり、
口栓本体とキャップとがヒンジを介して一体としたことを特徴とする口栓である。
【０００８】
また、本発明の請求項２に係る口栓は、口栓天板の引き裂き可能な閉鎖板にプルリングが設けられていることを特徴とする前記請求項１に記載の口栓である。
【０００９】
また、本発明の請求項３に係る口栓は、容器口部のフランジに凹部を設け、凹部に係合する嵌合突起をロックリング下端に設けたことを特徴とする前記請求項１または２に記載の口栓である。
【００１０】
また、本発明の請求項４に係る口栓は、内ネジ部断面が鼻型形状とすることを特徴とする前記請求項３に記載の口栓である。
【発明の効果】
【００１１】
本発明の口栓は、閉鎖板を引き裂かないと開封できないと共に、口栓本体も下端にロックリングが容器本体の係合部に係合して、ブリッジを切断しないと外れない構造になっていて、バージン性の担保が得られる。
さらに、キャップがヒンジキャップで、口栓本体と一体なので落下したり無くすこともなく、キャップを閉めるだけで液止めが可能になるので、一度開封した後には片手で注出口可能など、使用勝手の良い口栓である。
その上、すべてが一体で出来ていて、一つの金型で成形可能で、組立ても必要なく製造でき、その為、コストも低く抑えることができ、生産性も高い。
しかも、容器鍔との係合爪によって、打栓式にネジ部を嵌合させ、瞬時にキャッピングが可能な口栓とすることができる。
又、ネジを外して注出するとボトルの口径通りの大容量として使用が可能で、又ヒンジキャップを介して注出すると小容量としての使用が可能になり、二通りの注出量を使い分けることが出来る。
【図面の簡単な説明】
【００１２】
【図１】本発明の口栓を、容器本体に螺嵌した外観図である。
【図２】本発明の口栓において、容器本体に螺嵌した縦断面図である。
【図３】本発明の口栓を容器本体に螺嵌した状態で、キャップを開けた状態から、プルリングを引っ張って、口栓本体の閉鎖板を引き裂き始めた工程を示す縦断面図である。
【図４】本発明の口栓を容器本体に螺嵌した状態で、閉鎖板を引き裂いて口栓から外し、再度キャップを閉めた工程を示す縦断面図である。
【図５】本発明の口栓を容器本体に螺嵌した状態から、口栓本体を回し、容器本体から外すことによって、ブリッジを切断し、ロックリングが口栓本体から外れる状態を示す縦断面図である。
【図６】本発明の口栓で、口栓を単に回転させて、外している状態を示す縦断面図である。
【図７】本発明の口栓の別の一例で、口栓本体の天板に勾配を設け、注出時に口先近傍の内容物を容器内に戻しやすくし、かつ、位置決めを設けた縦断面図と、その外観側面図である。
【図８】本発明の口栓で、打栓でキャッピングする工程を示す縦断面の部分拡大図である。
【発明を実施するための形態】
【００１３】
以下、本発明の口栓における実施の形態例について、図を用いて詳細に説明する。
図１は、本発明の口栓１を容器６に螺嵌した状態を示す外観図である。
本発明の口栓１が使用される容器６は、主としてポリエチレンテレフタレートなどの熱可塑性樹脂を用いた射出延伸ブロー成形容器、または射出ブロー成形容器である。容器の口部下外側周囲にフランジ６２があって、容器に内容物を充填する時に、首部６１のフランジ６２下側に治具を挿入し、容器全体がフランジ６２によって支えられる。フランジ６２の上部にネジ部が設けられていて、容器ネジ部に口栓１は螺嵌している。
口栓の筒状側壁２２外面にはローレット２２０などが施され、強い力で回動可能になっている。
【００１４】
図２は、本発明の口栓１の一例で、容器６に螺嵌した状態の縦断面図である。
使用される容器口部６５外壁にはネジ部６３が設けられ、ネジ部６３とフランジ６２の中間に係合部（嵌合部）６４が口部６５全周に渡って設けられている。
口栓１は、口栓本体２と、キャップ３から構成され、キャップ３と口栓本体２はそれぞれヒンジ４を介して結合され、一体になっている。
口栓本体２は、口栓天板２１と、口栓天板周縁から上下に伸びる筒状側壁２２からなり、容器口部を覆っている。
口栓天板２１には、容器口部先端内側に挿嵌する口栓インナーリング２３が内側に設けられ、中央には周囲を脆弱部２４２で囲まれた閉鎖板２４が設けられている。閉鎖板２４の外側にはプルリング２４１が連結して、プルリング２４１を引き上げることで、脆弱部２４２が破断し、閉鎖板２４が引き裂きして分離することを可能にしている。
口栓天板２１の内側には、口栓インナーリングの他にコンタクトリング２３１を設けるなど、二重三重に容器口部からの漏れを防止する手段を設けておくことが好ましい。
【００１５】
筒状側壁２２の天板下側には内ネジ部２２１が設けられていて、容器口部６５のネジ部６３と螺嵌している。
更に筒状側壁２２の下端には引き裂き可能な薄肉部や細部を有するブリッジ５１を介して
ロックリング５が設けられ、容器の係合部６４にロックしている。ロックリング５は一度係合部６４にロックして固定すれば、破壊しなければ外れない構造になっている。その為、ブリッジ５１が破壊されていない場合、口栓本体２は外されてはいない証になる。
筒状側壁２２の上端の一端にヒンジ４が設けられ、キャップ３が一体で形成されている。
【００１６】
図３−１は、容器に本発明の口栓１を装着した容器で、キャップを開け始めた状態を示す。
開閉鍔３３を持ち上げると、ヒンジ４の曲げ部分を中心にキャップは回動し、キャップインナーリング３２が筒状側壁２２先端から外れる。
ヒンジ４は、ミラーヒンジであっても、バタフライヒンジであっても、また、単に薄肉で曲率が変化し開閉可能な帯状のヒンジであってもかまわない。
キャップ３は、口栓本体の上面を覆う蓋の役目をするもので、筒状側壁２２の先端内壁に挿嵌可能なキャップインナーリング３２が設けられ、閉鎖板２４が引き裂かれて外された状態でも、内容物の排出や揮発を防止するよう、片手で閉鎖可能になっている。
ヒンジがあるので、ヒンジ反対側に設けられた開閉鍔３３を持ち上げることで、キャップが上がり、口栓本体２が開口する。特にミラーヒンジやバタフライヒンジであれば、指先ひとつで開閉鍔３３を上げ始めるだけで、樹脂バネの力によって瞬時に開口するが、ヒンジで一端が繋がっているので、キャップを落としたりして無くしたり、落下してしまう恐れもない。
【００１７】
図３−２は、キャップを大きく開口させ、閉鎖板２４に連設するプルリングを指で引っ張り上げて、閉鎖板２４周囲の脆弱部２４２を引き裂き、開口し始めている様子を示す縦断面図である。
プルリング２４１と閉鎖板２４は丈夫な支柱で繋がれており、プルリング２４１の孔に指先を入れて引掛け、閉鎖板２４を変形させながら引き裂いて、閉鎖板２４を口栓本体から引き裂いて取り除く。
【００１８】
図４−１は、プルリング２４１を引っ張ったことで脆弱部２４２が完全に引き裂かれ、閉鎖板２４が取り除かれた様子を示す。
この状態で容器は開口し、内容物を注出することが出来る。
さらに、図４−２は、キャップ３を再度閉じた状態を示している。
キャップ３は、ヒンジ４を中心に回動し、容器の開口部である筒状側壁２２の先端に、キャップインナーリング３２が挿嵌し、容器は閉鎖される。この状態であれば、片手で容易に開口し、内容物を取り出し易く、かつ、片手でも閉めることができる。
【００１９】
図５は、内容物がすべて排出され、容器廃棄時に、口栓を取り除く状態を示している。容器の口部６５の外壁に設けられたネジ部６３と、口栓の内ネジ部２２１とが螺嵌していたので、筒状側壁の外壁に設けられたローレット２２０によって口栓本体２全体を回転させることで、筒状側壁は上方に移動する。しかし、ロックリング５は、係合部６４によって回転しても、上昇できない。その為、ブリッジ５１は引きちぎられ、破断する。
その為、ロックリング５は係合部６４部分に残り、口栓本体２やキャップ３は外すことが出来ると共に、開封されたことが明確に残る。
もちろん、大容量の注出が必要な場合、図５のように口栓１を外して注出するとボトルの口径通りの大容量として使用が可能で、本発明の口栓の注出口を小さくして小容量とすれば、口栓を介して注出すると小容量としての使用が可能で、口栓の有無によって二通りの注出量に使い分けることが出来る。
【００２０】
本発明はこのような口栓１であるが、もし、閉鎖板２４部分で開口せずに、口栓１全体をはずして開口しようとすると、図６のように、ブリッジ５１が破断し、ロックリング５
が外れ、自由に回転可能になる。その為、開口後、再度口栓１を取り付けても、開口したことは明確である。この為、閉鎖板２４とブリッジ５１を確認すれば、バージン性の有無は明確に判断可能である。
【００２１】
図７−１は、本発明の別の例で、口栓天板２１の天板周縁近傍に天板傾斜面２１０を設けた例である。天板傾斜面２１０は、閉鎖板２４に向かって下降する勾配が付けられている。この天板傾斜面２１０は、内容物を注出後、筒状側壁内面に付着した内容物が容器内部に戻りやすくするように設計されている。その為、口栓天板上部に内容物が残って、キャップを開封直後に漏れ出ることを防ぐ効果がある。
【００２２】
また、この図７−１は、容器のフランジ６２上面に凹部６２１を設け、さらに、ロックリング５の下端に嵌合突起５２を設けている。
この凹部６２１に向かって、嵌合突起５２を無理やり縦に押圧し、打栓方式で口栓１を容器に嵌合させることが出来る為の位置合わせになっている。
嵌合突起５２と凹部６２１の状態は、図７−２の側面図でみれば明らかである。嵌合突起５２があることで、ロックリング５が回転せず、容易にブリッジ５１を破断し易くなる。この口栓は打栓方式で嵌合させるが、打栓の時に、ネジ部は図８−１、図８−２で示すように、一旦口栓側壁２２が押圧で外側に大きく膨らみ、ネジ部を乗り越えていく。その為、凹部６２１は外側にも広げた形状にしておくことが望ましい。
また、この方式の場合、矢印で示したネジ形状を口栓側である筒状側壁の内ネジ部２２１の下側角を大きな半径をもつ曲線でできた曲面にして鼻型にすると、ネジの締まりに関係なく押圧してネジを乗り越えやすくなる。また、容器６のネジ部６３も、同じように上側に大きめの半径を持つ曲線で出来た曲面を設けて鼻型にすると、より押圧で挿入しやすくなる。
【００２３】
本発明の口栓を製造するには、主として射出成形で成形する。
また、材料としては、ポリプロピレン、ポリエチレンとポリプロピレンの共重合樹脂、低密度ポリエチレン、中密度ポリエチレン、エチレン酢酸ビニル共重合体、ポリメチルペンテンなどを使用する。
射出成形に用いる金型は、通常の金型にコアが回転する機構とスライド機構を有する金型を用いる。ネジ部のコアを回転しないで打栓式に挿入させる口栓の場合は、コアを周方向に分割してカムでスライドする分割コアタイプのコアをネジ部に用いた射出成形金型を用いてもよい。
キャップを開いた配置で射出成形し、成形後速やかにキャップを閉じて、ヒンジ部分の樹脂の方向性を揃え、ヒンジ開閉の耐久性を向上させる。
【００２４】
本発明は以上のようなもので、容器に口栓を螺嵌又は打栓後には、口栓本体２の閉鎖板２４を引き裂かないと開封できないと共に、口栓本体２も下端にロックリング５が容器本体の係合部（嵌合部）６４に係合して、ブリッジ５１を切断しないと外れない構造になっているので、いずれの開封（開口）に際してもバージン性の有無を確認できる。
さらに、キャップ３がヒンジキャップで、口栓本体２と一体なので落下したり無くすこともなく、キャップを閉めるだけで液止めが可能になるので、一度開封した後には片手で注出口可能など、使用勝手が非常に良い。
その上、すべてが一体で出来ているので、一つの金型で成形可能で、組立ても必要なく製造でき、その為、コストも低く抑えることができ、生産性も高い。
又、ネジを外して注出するとボトルの口径通りの大容量として使用が可能で、かつ、本発明の口栓を介して注出すると小容量としての使用が可能になり、二通りの注出量を使い分けることが出来る。
さらに、容器鍔との係合爪によって、打栓式にネジ部を嵌合させ、瞬時にキャッピングが可能な口栓とすることができるなど、本発明の口栓はメリットが大きい。
【符号の説明】
【００２５】
１・・・・・・・・・口栓
２・・・・・・・・・口栓本体
２１・・・・・・・・口栓天板
２１０・・・・・・・天板傾斜面
２２・・・・・・・・筒状側壁
２２０・・・・・・・ローレット
２２１・・・・・・・内ネジ部
２３・・・・・・・・口栓インナーリング
２３１・・・・・・・コンタクトリング
２４・・・・・・・・閉鎖板
２４１・・・・・・・プルリング
２４２・・・・・・・脆弱線
３・・・・・・・・・キャップ
３１・・・・・・・・キャップ天板
３２・・・・・・・・キャップインナーリング
３３・・・・・・・・開閉鍔（キャップ）
４・・・・・・・・・ヒンジ
５・・・・・・・・・ロックリング
５１・・・・・・・・ブリッジ
５２・・・・・・・・嵌合突起
６・・・・・・・・・容器
６１・・・・・・・・首下（容器）
６２・・・・・・・・フランジ（容器）
６２１・・・・・・・凹部（容器フランジ）
６３・・・・・・・・ネジ部（容器）
６４・・・・・・・・係合部（容器）
６５・・・・・・・・口部（容器）
【図１】
2016008072.tif 000003
【図２】
2016008072.tif 000004
【図３】
2016008072.tif 000005
【図４】
2016008072.tif 000006
【図５】
2016008072.tif 000007
【図６】
2016008072.tif 000008
【図７】
2016008072.tif 000009
【図８】
2016008072.tif 000010